(57)【要約】【課題】  一対の底板部が係合することで底板が形成される包装箱において、簡便に潰すことができ、また、潰した後に嵩張らない包装箱を提供する。【解決手段】  包装箱Ａは、側板１〜４が折目を介してこの順で連なった矩形筒と、側板１及び側板２の下端とそれぞれ折目を介して連なる第１底板部１５と、側板３及び側板４の下端とそれぞれ折目を介して連なる第２底板部１６とを有し、この両底板部にそれぞれ設けられた係合部同士が前記矩形筒の下端開口部の中央位置で係合することで前記下端開口部を閉塞する底板１０が形成される。この包装箱Ａにおいて、折目３４と折目３２とを相互に近接させる方向に外力が加えられることにより、第１底板部１５と第２底板部１６との少なくともいずれか一方の係合部から破断して該係合部の係合が瞬時に解除されるように、前記係合部の近傍に脆弱部を設ける。【選択図】  図１
2019196186.tif 000002
【特許請求の範囲】
【請求項１】
第１〜第４側板が折目を介してこの順で連なった矩形筒と、前記第１及び第２側板の下端とそれぞれ折目を介して連なる第１底板部と、前記第３及び第４側板の下端とそれぞれ折目を介して連なる第２底板部とを有し、
前記第１底板部と第２底板部とに設けられた係合部同士が前記矩形筒の下端開口部の中央位置で係合することで前記下端開口部を閉塞する底板が形成される包装箱であって、
前記折目のうち前記第１側板と第４側板との間の折目と、前記第２側板と第３側板との間の折目とを相互に近接させる方向に外力が加えられることにより、前記第１底板部と第２底板部との少なくともいずれか一方の係合部から破断して該係合部の係合が瞬時に解除されるように、前記係合部の近傍に脆弱部が設けられていることを特徴とする包装箱。
【請求項２】
請求項１に記載の包装箱において、
前記脆弱部は、前記係合部の近傍において前記第１底板部及び第２底板部のそれぞれに、前記第４側板及び第２側板に向かう方向に形成された破断線から構成されたことを特徴とする包装箱。
【請求項３】
請求項２に記載の包装箱において、
前記破断線のそれぞれには、前記係合部寄りの端部のそれぞれに、前記第３側板及び第１側板に向かう方向に形成された破断誘導線が連設されたことを特徴とする包装箱。
【請求項４】
請求項１から３のいずれか一つに記載の包装箱において、
前記第１底板部は、前記第２側板の下端に折目を介して連なる第２フラップと、該第２フラップの外面に貼着される第１貼着片を備え、前記第１側板の下端に折目を介して連なる第１フラップとから構成され、
前記第２底板部は、前記第４側板の下端に折目を介して連なる第４フラップと、該第４フラップの外面に貼着される第２貼着片を備え、前記第３側板の下端に折目を介して連なる第３フラップとから構成され、
前記第２フラップには第１フラップと重畳する重畳部が、また前記第４フラップには前記第３フラップと重畳する重畳部がそれぞれ設けられるとともに、これら重畳部が前記矩形筒の内方側へ屈曲可能とされていることを特徴とする包装箱。
【請求項５】
請求項１から４のいずれか一つに記載の包装箱において、
前記第１側板と第４側板との間の折目の下部と、前記第２側板と第３側板との間の折目の下部とに、目印が設けられたことを特徴とする包装箱。
【発明の詳細な説明】
【技術分野】
【０００１】
本発明は、包装箱に関し、特に、一対の底板部が係合することで底板が形成される包装箱に関するものである。
【背景技術】
【０００２】
保管時や搬送時には扁平状に折り畳むことができる一方、包装対象物を箱詰めする際には、ワンタッチで箱状に形成することができる包装箱が、従来から広く利用されている。このような包装箱は、４枚の側板が折目を介して連なった矩形筒と、相隣り合う側板の下端とそれぞれ折目を介して連なる一対の底板部とを備え、矩形筒を扁平状に折り畳んだ状態においてはこの一対の底板部は矩形筒の内側に折り畳まれており、この折り畳まれた矩形筒を矩形筒状に形成するとともに、一対の底板部が扁平状に展開され、矩形筒の下端開口部を閉塞する底板が形成されることで、ワンタッチで箱状に形成することが可能となっている（例えば特許文献１や特許文献２）。
【０００３】
例えば薬局においては、薬剤の包装に上記の包装箱が用いられている事が多いため、この包装箱を大量に廃棄することになる。そして、廃棄物の減容化のため、包装箱一つ一つを潰して嵩を減らす作業に迫られる。この包装箱を潰して嵩を減らす方法としては、底板中央部を押し上げて元の扁平状に折り畳まれた状態に戻す方法や、箱を無理やり押しつぶす方法が採られてきた。
【先行技術文献】
【特許文献】
【０００４】
【特許文献１】特許第３６００９８６号公報
【特許文献２】実用新案登録第３０９４８８３号公報
【発明の概要】
【発明が解決しようとする課題】
【０００５】
しかしながら、この包装箱を無理やり押しつぶした場合には包装箱が綺麗に扁平とはならず嵩張り、底板中央部を押し上げて元の扁平状に折り畳まれた状態に戻したとしても包装箱の側板と折り畳まれた底板部とが重畳するため嵩張るといった問題がある。また、包装箱を無理やり押しつぶす場合はもちろん、底板中央部を押し上げて扁平状に折り畳まれた状態に戻す場合であっても底板中央部における係合が解けるように押し上げる必要があり、包装箱を潰して嵩を減らす作業は煩瑣なものであった。
【０００６】
本発明は、かかる問題を改善するためになされたもので、一対の底板部が係合することで底板が形成される包装箱において、簡便に潰すことができ、また、潰した後に嵩張らない包装箱を提供するものである。
【課題を解決するための手段】
【０００７】
本発明の包装箱は、第１〜第４側板が折目を介してこの順で連なった矩形筒と、前記第１及び第２側板の下端とそれぞれ折目を介して連なる第１底板部と、前記第３及び第４側板の下端とそれぞれ折目を介して連なる第２底板部とを有し、前記第１底板部と第２底板部とに設けられた係合部同士が前記矩形筒の下端開口部の中央位置で係合することで前記下端開口部を閉塞する底板が形成される包装箱である。そして、前記折目のうち前記第１側板と第４側板との間の折目と、前記第２側板と第３側板との間の折目とを相互に近接させる方向に外力が加えられることにより、前記第１底板部と第２底板部との少なくともいずれか一方の係合部から破断して該係合部の係合が瞬時に解除されるように、前記係合部の近傍に脆弱部が設けられているものである。
【０００８】
上記の本発明によれば、前記折目のうち前記第１側板と第４側板との間の折目と、前記第２側板と第３側板との間の折目とを相互に近接させる方向に外力が加えられると、前記第１底板部の係合部には第２側板に向かうように力がはたらき、前記第２底板部の係合部には第４側板に向かうように力がはたらく。該両底板部は該両係合部において係合していることから、この係合箇所を起点として、第１底板部には第４側板に向かう方向に破断するよう負荷がかかり、第２底板部には第２側板に向かう方向に破断するよう負荷がかかる。そして、該両係合部の近傍に脆弱部が設けられていることにより、負荷に耐えきれなくなった前記第１底板部と第２底板部との少なくともいずれか一方の係合部から破断して該係合部の係合が瞬時に解除される。係合が解除されると、前記両底板部の破断した部分に、破断した底板部と対向する底板部が差し込まれる形となるため、前記両底板部は前記矩形筒の外方側に飛び出しつつ、前記第１側板は第２側板と、前記第３側板は第４側板と重なるように前記矩形筒が扁平状に折り畳まれる。したがって、上記の両折目を近接させる方向に外力を加えるのみで、前記矩形筒を前記両底板部と重畳しないように扁平状に折り畳むことができる。つまり、該包装箱は簡便に潰すことができ、また、潰した後に嵩張らないものとなる。
【０００９】
また、上記包装箱にあっては、さらに、前記脆弱部が、前記係合部の近傍において前記第１底板部及び第２底板部のそれぞれに、前記第４側板及び第２側板に向かう方向に形成された破断線から構成されていてもよい。
【００１０】
上記のように第１底板部には第４側板に向かう方向に破断するよう負荷がかかり、第２底板部には第２側板に向かう方向に破断するよう負荷がかかる。よってこの場合、負荷のかかる方向と、前記破断線の形成されている方向とが同方向であることから、破断が破断線に沿って円滑に生じるようにすることができる。また、前記両底板部の破断した部分に、破断した底板部と対向する底板部が差し込まれ、前記両底板部が前記矩形筒の外方側に飛び出すという上記の一連の過程もより円滑となるため、該包装箱はより簡便に潰すことができるものとなる。
【００１１】
また、上記包装箱にあっては、さらに、前記破断線のそれぞれには、前記係合部寄りの端部のそれぞれに、前記第３側板及び第１側板に向かう方向に形成された破断誘導線が連設されていてもよい。
【００１２】
上記のように第１底板部には第４側板に向かう方向に破断するよう負荷がかかり、第２底板部には第２側板に向かう方向に破断するよう負荷がかかる。この負荷がかかる方向と直交するように、前記両破断誘導線は設けられている。よってこの場合、前記両係合部の係合箇所と該両破断誘導線との間の領域にこの負荷が集中するため、破断をより起こりやすくすることができる。そして破断誘導線は破断線に連設されていることから、生じた破断は破断線へと誘導され破断線を破断させることができる。したがって、該包装箱はより小さい外力で簡便に潰すことができるものとなる。
【００１３】
また、上記包装箱にあっては、さらに、前記第１底板部は、前記第２側板の下端に折目を介して連なる第２フラップと、該第２フラップの外面に貼着される第１貼着片を備え、前記第１側板の下端に折目を介して連なる第１フラップとから構成され、前記第２底板部は、前記第４側板の下端に折目を介して連なる第４フラップと、該第４フラップの外面に貼着される第２貼着片を備え、前記第３側板の下端に折目を介して連なる第３フラップとから構成され、前記第２フラップには第１フラップと重畳する重畳部が、また前記第４フラップには前記第３フラップと重畳する重畳部がそれぞれ設けられるとともに、これら重畳部が前記矩形筒の内方側へ屈曲可能とされていてもよい。
【００１４】
該重畳部が設けられていることで、前記第１フラップと第２フラップとの継目、及び前記第３フラップと第４フラップとの継目に隙間が生じるのを防止することができる。また、前記底板の強度を増すことができる。そしてこの場合、前記両底板部が前記矩形筒の外方側に飛び出す過程において、該重畳部が前記矩形筒の内方側へ屈曲することで、この過程がより円滑となり、該包装箱はより簡便に潰すことができるものとなる。
【００１５】
また、上記包装箱にあっては、さらに、前記第１側板と第４側板との間の折目の下部と、前記第２側板と第３側板との間の折目の下部とに、目印が設けられていてもよい。
【００１６】
この場合、どの折目に外力を加えると該包装箱を嵩張らないように潰すことができるのか容易に把握できるようになり、該包装箱はより簡便に潰すことができるものとなる。
【発明の効果】
【００１７】
本発明によれば、一対の底板部が係合することで底板が形成される包装箱において、簡便に潰すことができ、また、潰した後に嵩張らない包装箱を提供することができる。
【図面の簡単な説明】
【００１８】
【図１】本発明の一実施形態における包装箱の展開図である。
【図２】図１の包装箱の斜視図である。
【図３】図１の包装箱の底板を包装箱内部から視た平面図である。
【図４】図１の包装箱を底板側から視た斜視図である。
【図５】図１の包装箱の組み立て前における底部を示す底面図である。
【図６】図１の包装箱が潰される過程における底部を包装箱内部から視た平面図である。
【図７】図１の包装箱が潰される過程における底部を包装箱外部から視た底面図である。
【図８】図１の包装箱が潰される過程において底部を上方にした状態で視た斜視図である。
【図９】図１の包装箱が潰された状態を示す正面図である。
【発明を実施するための形態】
【００１９】
以下、本発明の実施の形態について図を参照して説明する。
【００２０】
図１は、本発明の一実施形態における包装箱Ａの展開図、図２は、包装箱Ａの斜視図、図３は、包装箱Ａの底板１０を包装箱Ａ内部から視た平面図、図４は、包装箱Ａを底板１０側から視た斜視図、図５は、包装箱Ａの組み立て前における底部を示す底面図、図６は、包装箱Ａが潰される過程における底部を包装箱Ａ内部から視た平面図、図７は、包装箱Ａが潰される過程における底部を包装箱Ａ外部から視た底面図、図８は、包装箱Ａが潰される過程において底部を上方にした状態で視た斜視図、図９は、包装箱Ａが潰された状態を示す正面図である。これらの図中及び以下の包装箱Ａに関する記載において、第１〜第４側板はそれぞれ側板１〜側板４に対応し、第１〜第４フラップはそれぞれフラップ１１〜１４に対応する。
【００２１】
−包装箱Ａの基本構成及び包装箱Ａの組み立て手順−
この包装箱Ａは、コートボールを図１に示す展開図に沿って打ち抜いた後、折目に沿って折り曲げるとともに、所定部分を貼着することによって組み立てられるものである。
【００２２】
包装箱Ａは側板１〜側板４と側板貼着片６１とを有し、側板貼着片６１を側板２の内面に貼着することで、図２に示すように、側板１〜側板４が折目３１〜３４を介して連なって矩形筒を形成している。
【００２３】
図１、図４及び図５に示すように、側板１〜側板４の下端には、折目４１〜４４を介してそれぞれフラップ１１〜１４が連設されている。フラップ１１には第１貼着片１１１が折目１１５を介して連設され、この第１貼着片１１１がフラップ１２の外面に貼着されることでフラップ１１とフラップ１２とが一体となり、図５に示すように第１底板部１５を構成する。フラップ１３には第２貼着片１３１が折目１３５を介して連設され、この第２貼着片１３１がフラップ１４の外面に貼着されることでフラップ１３とフラップ１４とが一体となり、図５に示すように第２底板部１６を構成する。
【００２４】
フラップ１１には図１に示すように係合部１１２が設けられていることから、第１底板部１５は係合部１１２を備える。また、フラップ１３には図１に示すように係合部１３２が設けられていることから、第２底板部１６は係合部１３２を備える。
【００２５】
フラップ１１〜１４を上記のように貼着し、折目１１５及び折目１３５において第１底板部１５及び第２底板部１６を屈曲させると、図５に示すように、該両底板部は側板１〜側板４が形成する筒の内部に折り畳まれる。この状態から側板１〜側板４が形成する筒を矩形筒状に変形するように外力が加えられると、第１底板部１５及び第２底板部１６が扁平状に展開され、図４に示すように、この筒の下端開口部の中央位置で係合部１１２と係合部１３２とが係合する。これにより、前記の下端開口部を閉塞する底板１０が形成され、包装箱Ａは箱状に組み立てられる。
【００２６】
−包装箱Ａの潰れる仕組み及びそれに関する構成−
包装箱Ａにおいては、脆弱部として破断線１１３及び破断線１３３が設けられている。さらに、破断線１１３には破断誘導線１１４が、破断線１３３には破断誘導線１３４がそれぞれ連設されている。なお、脆弱部の構造はこれに限定されず、係合部１１２及び係合部１３２の近傍に脆弱性を持たせることができればよく、例えば、ミシン目線が楕円形状に設けられている構造等でもよい。
【００２７】
図１に示すように、フラップ１１における係合部１１２の近傍には、ミシン目線によって形成された破断線１１３が設けられている。包装箱Ａが箱状に組み立てられた状態では、図３に示すように破断線１１３は、第１底板部１５における係合部１１２の近傍から側板４に向かう方向に位置する。また、図１に示すように、フラップ１３における係合部１３２の近傍には、ミシン目線によって形成された破断線１３３が設けられている。包装箱Ａが箱状に組み立てられた状態では、図３に示すように破断線１３３は、第２底板部１６における係合部１３２の近傍から側板２に向かう方向に位置する。
【００２８】
さらに、図１に示すように、破断線１１３の係合部１１２寄りの端部には、ミシン目線によって形成された破断誘導線１１４が設けられている。包装箱Ａが箱状に組み立てられた状態においては、図３に示すように、破断誘導線１１４は破断線の端部から側板３に向かう方向に位置する。また、図１に示すように、破断線１３３の係合部１３２寄りの端部には、ミシン目線によって形成された破断誘導線１３４が設けられている。包装箱Ａが箱状に組み立てられた状態においては、図３に示すように、破断誘導線１３４は破断線の端部から側板１に向かう方向に位置する。
【００２９】
本実施形態において、破断線１１３、破断線１３３、破断誘導線１１４、及び破断誘導線１３４はミシン目線によって形成されているが、これに限定されず、コートボールの当該箇所に脆弱性を持たせることができればよく、例えば半切線等でもよい。
【００３０】
図１、図２及び図４に示すように、折目３４及び折目３２の下部にはそれぞれ凹部７１及び凹部７２が設けられている。この両凹部を、折目３４と折目３２とを相互に近接させる方向に押さえることで、後述のように包装箱Ａは簡便に潰すことが可能である。そして、この両凹部が目印となることで、包装箱Ａのどの部分を押せば嵩張らないように潰すことができるのか容易に把握できる。よって、包装箱Ａはより簡便に潰すことが可能となる。また、凹部として形成されていることから指で押しやすく、包装箱Ａはより簡便に潰すことが可能となる。
【００３１】
本実施形態においては凹部７１及び凹部７２として設けられているが、包装箱Ａのどの部分を押せば嵩張らないように潰すことができるのかを容易に把握できるようにするためには、これに限定されず、折目３４及び折目３２の下部に何らかの目印が設けられていればよい。
【００３２】
折目３４と折目３２とを相互に近接させる方向に外力が加えられると、図３に示す底板１０においては折目３４の下端と折目３２の下端とを相互に近接させるように力がはたらく。よって、第１底板部１５の係合部１１２には側板２に向かうように力がはたらき、第２底板部１６の係合部１３２には側板４に向かうように力がはたらく。そして、図３に示すように係合部１１２と係合部１３２とが係合していることから、第１底板部１５には係合部１１２から側板４に向かう方向に破断するよう負荷がかかり、第２底板部１６には係合部１３２から側板２に向かう方向に破断するよう負荷がかかる。すると、図３に示すようにこの負荷がかかる方向と直交するように破断誘導線１１４及び破断誘導線１３４が位置していることから、係合部１１２から破断誘導線１１４にかけての領域及び係合部１３２から破断誘導線１３４にかけての領域に負荷が集中することとなる。よって、負荷に耐えきれなくなった該両領域のうち少なくともいずれか一方がそれぞれの係合部から破断する。
【００３３】
以下、本実施形態においては、第２底板部１６が係合部１３２から破断する場合を例に採って説明する。
【００３４】
係合部１３２から破断誘導線１３４にかけての領域が前記外力による負荷に耐えきれなくなると、係合部１３２から破断誘導線１３４にかけて破断が生じる。そして破断誘導線１３４は破断線１３３に連設されていることから、破断は破断線１３３へと誘導され破断線１３３が破断する。
【００３５】
上記のように破断が生じることで、係合部１１２と係合部１３２との係合は瞬時に解除される。上記したように第１底板部１５の係合部１１２には側板２に向かうように力がはたらき、第２底板部１６の係合部１３２には側板４に向かうように力がはたらいていることから、係合が解除された該両底板部は該両係合部を先頭として重なり合おうとする。すると、図６に示すように、第２底板部１６の破断した部分に第１底板部１５が差し込まれ、図７及び図８に示すように、該両底板部は側板１〜４が連なった筒の外方側へ突出するように屈曲することとなる。この状態において先程までと同様に外力が加えられ続けると、該両底板部はさらに屈曲することで前記筒の外方側に飛び出し、前記筒は扁平状に折り畳まれ、その結果、図９に示すように、包装箱Ａは扁平状に潰されることとなる。
【００３６】
したがって図９に示すように、包装箱Ａは、折目３４と折目３２とを相互に近接させる方向に外力を加えるのみで、側板１〜４が連なった矩形筒を該両底板部と重畳しないように扁平状に折り畳むことができる。つまり、簡便に潰すことができ、また、潰した後に嵩張らない包装箱を実現できる。
【００３７】
ここまで、第２底板部１６が係合部１３２から破断した場合について説明したが、第１底板部１５が係合部１１２から破断してもよく、該両底板部が両方破断してもよい。第１底板部１５が破断した場合でも上記と同様の仕組みで、該両底板部が両方破断した場合でも両底板部のいずれか一方が他方の破断部分に差し込まれることで上記と同様の仕組みで包装箱Ａを潰すことができる。
【００３８】
図１に示すように、フラップ１２には重畳部１２１が、フラップ１４には重畳部１４１がそれぞれ設けられている。重畳部１２１は図３に示すように第１底板部１５の一部を構成し、フラップ１１と重畳する。重畳部１４１は図３に示すように第２底板部１６の一部を構成し、フラップ１３と重畳する。このように重畳することで、フラップ１１とフラップ１２との継目、及びフラップ１３とフラップ１４との継目に隙間が生じるのを防止することができる。また、底板１０の強度を増すことができる。
【００３９】
重畳部１２１及び重畳部１４１は、図１に示すように、フラップ１２及びフラップ１４に設けられ、それぞれミシン目線１２２及びミシン目線１４２を有している。そして、図６に示すように、第１底板部１５及び第２底板部１６が、側板１〜４が連なった筒の外方側へ突出するように屈曲する際には、この両重畳部のミシン目線も両底板部と連動し屈曲するため、重畳部１２１及び重畳部１４１はこの筒の内方側に屈曲することとなる。重畳部１２１及び重畳部１４１がこのように屈曲可能であるため、重畳部１２１及び重畳部１４１は第１底板部１５及び第２底板部１６の屈曲を阻害することがなく、この両底板部が筒の外方側に飛び出す過程がより円滑となる。よって、包装箱Ａはより簡便に潰すことが可能となる。
【００４０】
なお本実施形態においては、重畳部１２１及び重畳部１４１はミシン目線を有しているが、これに限定されず、上記のように屈曲可能であればよく、例えば半切線等を有していてもよい。
【００４１】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味及び範囲内でのすべての変更が含まれる。
【００４２】
例えば、本実施形態では、１枚のコートボールを用いて包装箱Ａを形成したが、複数枚のコートボールを用いて包装箱Ａを形成してもよい。また、図１に示す展開図を左右対称にした包装箱であってもよい。
【００４３】
また、本実施形態では、フラップ１２の外面に第１貼着片１１１が貼着されることで第１底板部１５が、フラップ１４の外面に第２貼着片１３１が貼着されることで第２底板部１６が、それぞれ形成されているが、貼着によらずにこの両底板部と同様の構造を形成してもよい。
【００４４】
さらに、本実施形態では、係合部１１２及び係合部１３２の近傍にそれぞれ脆弱部が設けられているが、上記のように第１底板部１５及び第２底板部１６のいずれか一方さえ破断すればよいことから、脆弱部は係合部１１２及び係合部１３２のいずれか一方の近傍にのみ設けられていてもよい。
【産業上の利用可能性】
【００４５】
本発明は、一対の底板部が係合することで底板が形成される包装箱において、簡便に潰すことができ、また、潰した後に嵩張らない包装箱として利用可能である。
【符号の説明】
【００４６】
１    第１側板
２    第２側板
３    第３側板
４    第４側板
１０  底板
１１  第１フラップ
１１１  第１貼着片
１１２  係合部
１１３  破断線
１１４  破断誘導線
１１５  折目
１２  第２フラップ
１２１  重畳部
１２２  ミシン目線
１３  第３フラップ
１３１  第２貼着片
１３２  係合部
１３３  破断線
１３４  破断誘導線
１３５  折目
１４  第４フラップ
１４１  重畳部
１４２  ミシン目線
１５  第１底板部
１６  第２底板部
２０  蓋板
２１  差し込み片
２２  蓋側フラップ
２３  蓋側フラップ
３１  折目
３２  折目
３３  折目
３４  折目
４１  折目
４２  折目
４３  折目
４４  折目
５１  折目
５２  折目
５３  折目
５４  折目
５５  切取ミシン目線
６１  側板貼着片
７１  凹部
７２  凹部
Ａ    包装箱
【図１】
2019196186.tif 000003
【図２】
2019196186.tif 000004
【図３】
2019196186.tif 000005
【図４】
2019196186.tif 000006
【図５】
2019196186.tif 000007
【図６】
2019196186.tif 000008
【図７】
2019196186.tif 000009
【図８】
2019196186.tif 000010
【図９】
2019196186.tif 000011
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
第１〜第４側板が折目を介してこの順で連なった矩形筒と、前記第１及び第２側板の下端とそれぞれ折目を介して連なる第１底板部と、前記第３及び第４側板の下端とそれぞれ折目を介して連なる第２底板部とを有し、
前記第１底板部と第２底板部とに設けられた係合部同士が前記矩形筒の下端開口部の中央位置で係合することで前記下端開口部を閉塞する底板が形成され、
外力を加えて潰した時に前記両底板部が前記矩形筒の外方側に突出する包装箱であって、
前記折目のうち前記第１側板と第４側板との間の折目と、前記第２側板と第３側板との間の折目とを相互に近接させる方向に外力が加えられることにより、前記第１底板部と第２底板部との少なくともいずれか一方の係合部から破断して該係合部の係合が瞬時に解除されるように、前記係合部の近傍に脆弱部が設けられていることを特徴とする包装箱。
【請求項２】
請求項１に記載の包装箱において、
前記脆弱部は、前記係合部の近傍において前記第１底板部及び第２底板部のそれぞれに、前記第４側板及び第２側板に向かう方向に形成された破断線から構成されたことを特徴とする包装箱。
【請求項３】
請求項２に記載の包装箱において、
前記破断線のそれぞれには、前記係合部寄りの端部のそれぞれに、前記第３側板及び第１側板に向かう方向に形成された破断誘導線が連設されたことを特徴とする包装箱。
【請求項４】
請求項１から３のいずれか一つに記載の包装箱において、
前記第１底板部は、前記第２側板の下端に折目を介して連なる第２フラップと、該第２フラップの外面に貼着される第１貼着片を備え、前記第１側板の下端に折目を介して連なる第１フラップとから構成され、
前記第２底板部は、前記第４側板の下端に折目を介して連なる第４フラップと、該第４フラップの外面に貼着される第２貼着片を備え、前記第３側板の下端に折目を介して連なる第３フラップとから構成され、
前記第２フラップには第１フラップと重畳する重畳部が、また前記第４フラップには前記第３フラップと重畳する重畳部がそれぞれ設けられるとともに、これら重畳部が前記矩形筒の内方側へ屈曲可能とされていることを特徴とする包装箱。
【請求項５】
請求項１から４のいずれか一つに記載の包装箱において、
前記第１側板と第４側板との間の折目の下部と、前記第２側板と第３側板との間の折目の下部とに、目印が設けられたことを特徴とする包装箱。